(57)【要約】【課題】打楽器の奏法のバリエーションを増加させることができる打楽器および打楽器ユニットを提供すること。【解決手段】打面エッジ３０ａ１が、フープ８の上端よりも上方に位置するので、打面３０ａよりも外周側にフープ８を配設した場合であっても、打面エッジ３０ａ１への打撃に対してフープ８が干渉することを抑制できる。即ち、打面エッジ３０ａ１への単独の打撃、又は、打面３０ａおよび打面エッジ３０ａ１への同時打撃による演奏が打面エッジ３０ａ１の全周にわたって可能となると共に、打面エッジ３０ａ１とフープ８とを同時に打撃する演奏も可能となる。よって、打楽器１の奏法のバリエーションを増加させることができる。【選択図】図１
2018151611.tif 000002
【特許請求の範囲】
【請求項１】
胴部と、その胴部に固定されると共に上面が打面として構成されるヘッドと、前記打面の外縁よりも外周側に配設される被打撃部材と、を備える打楽器において、
前記打面の外縁側における被打撃部として構成される打面エッジの上端が、前記被打撃部材の上端と同じ高さか、若しくは、前記被打撃部材の上端よりも上方に位置することを特徴とする打楽器。
【請求項２】
前記打面への打撃を検出するための第１センサと、前記打面エッジへの打撃を検出するための第２センサと、前記被打撃部材への打撃を検出するための第３センサと、を備えることを特徴とする請求項１記載の打楽器。
【請求項３】
前記被打撃部材は、前記打面の外周側の全域にわたって延設されることを特徴とする請求項１又は２に記載の打楽器。
【請求項４】
前記胴部および前記被打撃部材を連結する連結部材を備え、
前記被打撃部材と前記連結部材とが部分的に接続されることを特徴とする請求項１から３のいずれかに記載の打楽器。
【請求項５】
前記ヘッドを前記胴部に固定するためのリムを備え、
前記リムの上端が、前記打面と同じ高さか、若しくは、前記打面よりも下方に位置することを特徴とする請求項１から４のいずれかに記載の打楽器。
【請求項６】
前記胴部および前記被打撃部材を連結する連結部材と、前記胴部の外周側の面に複数配設されると共に前記リムがボルトによって固定される固定部とを備え、
前記連結部材は、前記複数の固定部のうちの少なくとも３以上の前記固定部において、前記ボルトによって前記リムと共締めされることを特徴とする請求項５記載の打楽器。
【請求項７】
請求項１から６のいずれかに記載の打楽器が一対に配設される打楽器ユニットであって、
前記胴部における前記打面とは反対側の背面どうしを対向させる姿勢で前記一対の打楽器が連結されることを特徴とする打楽器ユニット。
【請求項８】
前記一対の打楽器は、前記胴部および前記被打撃部材を連結する連結部材を備え、
前記胴部の上面視において、前記胴部、前記被打撃部材および前記連結部材によって取り囲まれる空間が形成されることを特徴とする請求項７記載の打楽器ユニット。
【請求項９】
前記一対の打楽器は、前記打面への打撃を検出するための第１センサと、前記打面エッジへの打撃を検出するための第２センサと、前記被打撃部材への打撃を検出するための第３センサと、をそれぞれ備えることを特徴とする請求項７又は８に記載の打楽器ユニット。
【発明の詳細な説明】
【技術分野】
【０００１】
本発明は、打楽器および打楽器ユニットに関し、特に、打楽器の奏法のバリエーションを増加させることができる打楽器および打楽器ユニットに関する。
【背景技術】
【０００２】
打楽器（例えば、アコースティックドラムや電子ドラム）に被打撃部材を装着し、楽音生成のバリエーションを増加させる技術が知られている。例えば、特許文献１には、被打撃部を備えるアタッチメント（被打撃部材）がテンションボルトによってリムと共締めされる打楽器が開示される。この打楽器によれば、ヘッドやリムへの打撃によって生成される楽音に加え、アタッチメントの被打撃部への打撃によっても楽音が生成されるので、打楽器の楽音生成のバリエーションを増加させることができる。
【先行技術文献】
【特許文献】
【０００３】
【特許文献１】特開２０１４−１１５４７０号公報（例えば、段落００３５，００５２，００５３、図１，４）
【発明の概要】
【発明が解決しようとする課題】
【０００４】
しかしながら、上述した従来の技術では、被打撃部材（アタッチメント）への打撃を容易にするために、リムの上端よりも上方に被打撃部材が配設される。よって、被打撃部材が配設される領域では、リムへの打撃が困難になるので、打楽器の奏法に制約が生じるという問題点があった。
【０００５】
本発明は、上述した問題点を解決するためになされたものであり、打楽器の奏法のバリエーションを増加させることができる打楽器および打楽器ユニットを提供することを目的としている。
【課題を解決するための手段】
【０００６】
この目的を達成するために本発明の打楽器は、胴部と、その胴部に固定されると共に上面が打面として構成されるヘッドと、前記打面の外縁よりも外周側に配設される被打撃部材と、を備えるものであり、前記打面の外縁側における被打撃部として構成される打面エッジの上端が、前記被打撃部材の上端と同じ高さか、若しくは、前記被打撃部材の上端よりも上方に位置する。
【発明の効果】
【０００７】
請求項１記載の打楽器および請求項７記載の打楽器ユニットによれば、打面の外縁側における被打撃部として構成される打面エッジの上端が、被打撃部材の上端と同じ高さか、若しくは、被打撃部材の上端よりも上方に位置するので、打面の外周側に被打撃部材を配設した場合であっても、打面エッジへの打撃に対して被打撃部材が干渉することを抑制できる。即ち、打面エッジへの単独の打撃、又は、打面および打面エッジへの同時打撃による演奏が打面エッジの全周にわたって可能となると共に、打面エッジと被打撃部材とを同時に打撃する演奏も可能となる。よって、打楽器の奏法のバリエーションを増加させることができるという効果がある。
【０００８】
請求項２記載の打楽器によれば、請求項１記載の打楽器の奏する効果に加え、ヘッドへの打撃を検出するための第１センサと、打面エッジへの打撃を検出するための第２センサと、被打撃部材への打撃を検出するための第３センサと、を備えるので、それらの各センサによって、ヘッド、打面エッジ及び被打撃部材へのそれぞれに対する打撃を検出することができる。よって、例えば、ヘッド、打面エッジ、及び、被打撃部材がそれぞれ単独で打撃された場合と、同時に打撃された場合とで異なる楽音を生成することにより、楽音生成のバリエーションを増加させることができるという効果がある。
【０００９】
請求項３記載の打楽器によれば、請求項１又は２に記載の打楽器の奏する効果に加え、被打撃部材は、打面の外周側の全域にわたって延設されるので、打面の外周側の全域にわたって被打撃部材への打撃が可能となる。よって、様々な方向（角度）から被打撃部材への打撃が可能となるので、打楽器の奏法のバリエーションをより増加させることができるという効果がある。
【００１０】
請求項４記載の打楽器によれば、請求項１から３のいずれかに記載の打楽器の奏する効果に加え、次の効果を奏する。胴部および被打撃部材を連結する連結部材を備えるので、被打撃部材への打撃による振動の一部が連結部材および胴部を介して打面側に伝達される。また、打面または打面エッジへの打撃による振動の一部は、胴部および連結部材を介して被打撃部材側へ伝達される。
【００１１】
この場合、被打撃部材と連結部材とが部分的に接続されるので、連結部材を介した被打撃部材から胴部側（胴部から被打撃部材側）への振動伝達経路を減少させることができる。よって、例えば、被打撃部材への打撃によって打面が振動して発音することや、打面または打面エッジへの打撃によって被打撃部材が振動して発音することを抑制できるという効果がある。
【００１２】
請求項５記載の打楽器によれば、請求項１から４のいずれかに記載の打楽器の奏する効果に加え、ヘッドを胴部に固定するためのリムを備え、リムの上端が、打面と同じ高さか、若しくは、打面よりも下方に位置するので、例えば、スティック（バチ）によって打面を打撃する際に、打面の中央側と打面エッジとを同時に打撃する（打面に沿ってスティックを当てる）ことができる。よって、打楽器によって太鼓を模擬した奏法が可能となるという効果がある。
【００１３】
請求項６記載の打楽器によれば、請求項５記載の打楽器の奏する効果に加え、次の効果を奏する。胴部および被打撃部材を連結する連結部材と、胴部の外周側の面に複数配設されると共にリムがボルトによって固定される固定部とを備え、連結部材は、複数の固定部のうちの少なくとも３以上の固定部において、ボルトによってリムと共締めされる。よって、胴部にリムを固定する機能と、胴部に被打撃部材を固定するための機能とを固定部に兼用させることができると共に、被打撃部材を胴部に安定して固定することができるという効果がある。
【００１４】
請求項７記載の打楽器ユニットによれば、胴部における打面とは反対側の背面どうしを対向させる姿勢で一対の打楽器が連結されるので、打楽器の対向方向外側の両面に一対のヘッドが配置される。よって、軸方向両側に打面を有する打楽器（例えば、両面の和太鼓）を打楽器ユニットによって模擬することができるという効果がある。
【００１５】
請求項８記載の打楽器ユニットによれば、請求項７記載の打楽器ユニットの奏する効果に加え、一対の打楽器は、胴部および被打撃部材を連結する連結部材を備え、胴部の上面視において、胴部、被打撃部材および連結部材によって取り囲まれる空間が形成されるので、例えば、一対の打楽器の被打撃部材どうしに紐を掛け渡して装飾を施すことができる。よって、打楽器ユニットの意匠性を向上させることができるという効果がある。
【００１６】
請求項９記載の打楽器ユニットによれば、請求項７又は８に記載の打楽器ユニットの奏する効果に加え、次の効果を奏する。一対の打楽器は、打面への打撃を検出するための第１センサと、打面エッジへの打撃を検出するための第２センサと、被打撃部材への打撃を検出するための第３センサと、をそれぞれ備える。よって、打楽器ユニットによって太鼓を模擬する電子打楽器を構成することができるという効果がある。更に、一対の打楽器のそれぞれにおいて、打面、打面エッジ、及び、被打撃部材がそれぞれ単独で打撃された場合と、同時に打撃された場合とで異なる楽音を生成することにより、楽音生成のバリエーションをより増加させることができるという効果がある。
【図面の簡単な説明】
【００１７】
【図１】本発明の第１実施の形態における打楽器の斜視図である。
【図２】図１のＩＩ−ＩＩ線における打楽器の断面図である。
【図３】第２実施の形態における打楽器の斜視図である。
【図４】図３のＩＶ−ＩＶ線における打楽器の断面図である。
【図５】第３実施の形態における打楽器ユニットの分解斜視図である。
【図６】（ａ）は、打楽器ユニットの斜視図であり、（ｂ）は、連結棒をスタンドにした状態を示す打楽器ユニットの斜視図である。
【図７】第４実施の形態における打楽器ユニットの斜視図である。
【図８】（ａ）は、図７のＶＩＩＩａ−ＶＩＩＩａ線における打楽器の部分拡大断面図であり、（ｂ）は、被連結板の上面図である。
【図９】（ａ）は、図７のＩＸａ−ＩＸａ線における打楽器の部分拡大断面図であり、（ｂ）は、図９（ａ）の矢印ＩＸｂ方向視における打楽器の側面図であり、（ｃ）は、図９（ｂ）の矢印ＩＸｃ方向視における打楽器の上面図である。
【発明を実施するための形態】
【００１８】
以下、本考案の好ましい実施の形態について、添付図面を参照して説明する。まず、図１及び図２を参照して、第１実施の形態の打楽器１について説明する。
【００１９】
図１は、本発明の第１実施の形態における打楽器１の斜視図である。図２は、図１のＩＩ−ＩＩ線における打楽器１の断面図である。なお、図２では、図面を簡素化するために、打楽器１の一部が省略して図示される。また、以下の説明において、胴部２（打楽器１）の軸Ｏ周りの方向を周方向、軸Ｏと直角な方向を径方向と定義し、胴部２（打楽器１）の軸Ｏ方向一側を上側、軸Ｏ方向他側を下側と定義する。
【００２０】
図１及び図２に示すように、打楽器１は、ドラムや太鼓（例えば、桶胴太鼓や締太鼓等の和太鼓）を模擬した電子打楽器である。演奏者がバチ（スティック）（図示せず）を用いて打面３０ａ、打面エッジ３０ａ１及びフープ８を打撃した場合に、その打撃による振動が後述する第１センサＳ１（図２参照）、第２センサＳ２及び第３センサＳ３によって検出される。かかる検出結果が音源（図示せず）に出力され、その検出結果に基づいた楽音信号が音源により生成される。その楽音信号がアンプやスピーカ（共に図示せず）に出力されることにより、楽音信号に基づく電子楽音がスピーカから放音される。
【００２１】
打楽器１は、胴部２と、その胴部２の開口を覆うヘッド３と、そのヘッド３の外縁を胴部２に固定するためのリム４と、そのリム４がボルトＢ１によって固定される固定部５と、胴部２の内周側に配設されるフレーム６と、そのフレーム６に配設される第１センサＳ１及び第２センサＳ２と、胴部２の外周面に取り付けられる連結部材７と、その連結部材７に固定されるフープ８と、そのフープ８及び連結部材７の間に介設される第３センサＳ３と、を備える。
【００２２】
胴部２は、その上下の両端（図２の上下方向における両端）が開口する円筒状に金属材料（又は、木材や樹脂材料）から形成され、上側（図２の上側）の開口がヘッド３によって覆われる。
【００２３】
ヘッド３は、打面エッジ３０ａ１を有する膜部材３０と、その膜部材３０の外縁が接着される円環状の枠部３１とを備える。膜部材３０は、合成繊維を編み上げたメッシュ状素材や合成樹脂から円板状に形成され、その上面が打面３０ａとして形成される。打面エッジ３０ａ１は、打面３０ａの外縁側のエッジ部分を構成する部位である。枠部３１は、金属材料（又は、樹脂材料）から形成され、この枠部３１の上面とリム４の下面とが当接される。
【００２４】
リム４は、ヘッド３（膜部材３０）に張力を付与するための円環状の部材であり、その内径が胴部２の外径よりも大きく、且つ、枠部３１の外径よりも小さい寸法に設定される。リム４には、その上下に貫通する貫通孔４０が形成され、貫通孔４０は、固定部５の被締結部５０と対応する位置に複数（本実施の形態では、８個）形成される。
【００２５】
固定部５は、ヘッド３及びリム４を胴部２に固定するための部位であり、胴部２の外周面の周方向に沿って等間隔に複数（本実施の形態では、８個）形成される。固定部５の上面には、下方に向けて凹設される被締結部５０が形成され、この被締結部５０の内周面にめねじ（図示せず）が形成される。リム４の貫通孔４０に上方から挿入されるボルトＢ１が被締結部５０に螺合されることにより、ヘッド３及びリム４が胴部２に固定される。
【００２６】
この場合、リム４及びボルトＢ１の上端（図２の上側の端部）が、打面エッジ３０ａ１よりも下方（図２の下側）に位置するので、例えば、バチによって打面３０ａを打撃する際に、打面３０ａの中央側と打面エッジ３０ａ１とを同時に打撃することができる。即ち、打面３０ａに沿ってバチを当てるように演奏することにより、太鼓の演奏を模擬した奏法を行うことができる。
【００２７】
フレーム６は、胴部２の内周側で第１センサＳ１及び第２センサＳ２や制御装置（図示せず）等の各種部材を支持するための椀状の部材であり、合成樹脂から形成される。フレーム６は、ヘッド３と所定距離を隔てて対向配置される底部６０と、その底部６０の外縁から立設される側壁部６１と、底部６０からヘッド３側へ立設される複数の中央突起部６２とを備える。
【００２８】
側壁部６１の上端部分は、径方向外側へ向けて張り出すと共に、下方に向けて湾曲して形成され、かかる湾曲部分が胴部２の上端に係合されることで胴部２の開口にフレーム６が支持される。即ち、フレーム６は、その外縁側が胴部２とヘッド３とによって挟持される。
【００２９】
中央突起部６２は、胴部２の周方向に沿って複数（本実施の形態では、３個）形成され、それら複数の中央突起部６２の上端にプレートＰがボルトＢ２によって固定される。プレートＰの上面および下面には、それぞれ第１センサＳ１及び第２センサＳ２が両面テープ９によって接着される。
【００３０】
第１センサＳ１は、打面３０ａへの打撃を検出するための圧電素子であり、胴部２の径方向略中央部分に配設される。第１センサＳ１と膜部材３０との間には、クッション部材Ｃが介設され、このクッション部材Ｃは、スポンジやゴム、熱可塑性エラストマ等の弾性材料から形成される円錐台形状の緩衝材である。第２センサＳ２は、打面エッジ３０ａ１への打撃を検出するための圧電素子である。
【００３１】
連結部材７は、フープ８を胴部２に連結するための部材であり、径方向で対向する姿勢で胴部２の外周面に一対配設される。連結部材７は、胴部２の外周面に固定されると共に胴部２の径方向外側に向けて突設される一対の突設部７０と、それら一対の突設部７０の突設先端どうしを接続する接続部７１と、その接続部７１の上下の両面から立設されると共に上下方向に軸を向ける円筒状に形成される立設部７２ａ，７２ｂと、を備え、金属材料（又は、木材や樹脂材料）から形成される。
【００３２】
一対の突設部７０は、胴部２の外周面における軸Ｏ方向略中央部分から径方向外側に向けて上昇傾斜する平板状にそれぞれ形成されると共に、その板厚方向を周方向に向ける姿勢でそれぞれ配設される。接続部７１は、平板状に形成されると共にその板厚方向を軸Ｏ方向に向ける姿勢で配設される。一対の立設部７２ａ，７２ｂは、周方向に沿って所定間隔を隔ててそれぞれ配設されると共に内周面にめねじ（図示せず）がそれぞれ形成され、それら一対の立設部７２ａ，７２ｂの上端にフープ８が支持される。
【００３３】
フープ８は、周方向に沿った円環状に金属材料（又は、木材や樹脂材料）から形成され、軸Ｏを含む平面で切断した断面形状が円筒状（中空）に形成される。フープ８には、立設部７２ａ，７２ｂに対応した位置に複数（本実施の形態では、４個）の貫通孔（図示せず）が形成され、この貫通孔は、上下に貫通する貫通孔として形成される。
【００３４】
フープ８の貫通孔に上方からボルトＢ３が挿入され、そのボルトＢ３が立設部７２ａ，７２ｂのめねじに螺合されることにより、フープ８が立設部７２ａ，７２ｂに固定される。よって、立設部７２ａ，７２ｂの立設高さの分、フープ８と接続部７１との間には空間が形成され、かかる空間（立設部７２ａ及び立設部７２ｂの対向間）に第３センサＳ３が配設される。第３センサＳ３は、フープ８への打撃を検出するための圧電素子であり、一対の連結部材７のうちの一方の連結部材７とフープ８との間に配設され、フープ８の下端に両面テープ（図示せず）によって接着される（連結部材７と第３センサＳ３とが非接触とされる）。
【００３５】
これにより、フープ８がバチによって打撃されると、その打撃による振動が第３センサＳ３によって検出される。よって、打面３０ａおよび打面エッジ３０ａ１への打撃に加え、フープ８への打撃によっても楽音を生成することができる。従って、例えば、フープ８が打撃された際に太鼓のフチが打撃された場合の打撃音を生成することにより、太鼓を模擬した演奏が可能となる。即ち、円環状のフープ８によって太鼓のフチを模擬すると共に、フープ８への打撃によって太鼓の演奏を模擬することができる。
【００３６】
ここで、フープ８への打撃による振動は、連結部材７、胴部２及びフレーム６を介して第１センサＳ１及び第２センサＳ２側に伝達されるので、フープ８への打撃による振動が第１センサＳ１及び第２センサＳ２に誤検出される恐れがある。また、打面３０ａや打面エッジ３０ａ１への打撃による振動も同様に、第３センサＳ３によって誤検出される恐れがある。
【００３７】
これに対して、本実施の形態の打楽器１によれば、第３センサＳ３が連結部材７（接続部７１）とフープ８との対向間に配設されるので、第３センサＳ３をフープ８に近接する位置に（接触させて）配設することができる。よって、フープ８への打撃による振動が連結部材７、胴部２及びフレーム６を介して第１センサＳ１及び第２センサＳ２に伝達される前に、かかる打撃による振動が第３センサＳ３によって検出されやすくなる。更に、フープ８への打撃によって第１センサＳ１及び第２センサＳ２で検出される振動よりも、第３センサＳ３で検出される振動の方が大きくなる。これにより、フープ８への打撃による振動が第１センサＳ１及び第２センサＳ２によって誤検出されることを抑制し、かかる振動を第３センサＳ３によって確実に検出させることができる。よって、フープ８への打撃に対する楽音の生成を精度良く行うことができる。
【００３８】
更に、第３センサＳ３が連結部材７（接続部７１）とフープ８との対向間に配設されることで、第３センサＳ３が直接打撃されることや、第３センサＳ３に演奏者が直接触れることを抑制できる。よって、第３センサＳ３の耐久性を向上させることができる。
【００３９】
また、第３センサＳ３がフープ８のみに接着される（連結部材７と第３センサＳ３とが非接触とされる）ことにより、打面３０ａおよび打面エッジ３０ａ１への打撃に対する振動が連結部材７を介して第３センサＳ３に検出されることを抑制できる。よって、打面３０ａおよび打面エッジ３０ａ１への打撃に対する楽音の生成を精度良く行うことができる。
【００４０】
また、周方向においてフープ８と連結部材７とが４箇所の立設部７２ａ，７２ｂ（２個の連結部材７）に支持される（フープ８と連結部材７とが部分的に接続される）ので、フープ８への打撃による振動を４箇所の立設部７２ａ，７２ｂ（一対の連結部材７）のみを介して胴部２に伝達させることができる。よって、例えば、フープ８がその全周にわたって胴部２と接続される場合に比べ、フープ８と胴部２との間に形成される振動伝達経路を減少させることができる。
【００４１】
この場合、第１センサＳ１及び第２センサＳ２が支持されるフレーム６は、胴部２の上端に接続されるのに対し、連結部材７（突設部７０）は、胴部２の外周面における軸Ｏ方向略中央部分（即ち、胴部２の上端よりも下方）に固定される。即ち、フレーム６と連結部材７とを胴部２に接続する場合に、それらフレーム６と連結部材７とを軸Ｏ方向で離間させることにより、連結部材７及び胴部２を介したフープ８からフレーム６への振動伝達経路（距離）を長くすることができる。
【００４２】
このように、フープ８と胴部２との間に形成される振動伝達経路を減少させることや、フープ８からフレーム６への振動伝達経路（距離）を長くすることにより、フープ８への打撃による振動がフレーム６側に伝達して第１センサＳ１及び第２センサＳ２によって誤検出されることや、打面３０ａ又は打面エッジ３０ａ１への打撃による振動がフープ８側に伝達して第３センサＳ３によって誤検出されることを抑制できる。よって、打面３０ａ、打面エッジ３０ａ１及びフープ８への打撃に対する楽音の生成を精度良く行うことができる。
【００４３】
また、打面エッジ３０ａ１がフープ８（リム４）の上端（図２の上側の端部）よりも上方（図２の上側）に位置して配設されるので、例えば、バチによって打面エッジ３０ａ１が打撃される際に、そのバチにフープ８が干渉することを抑制できる。
【００４４】
よって、打面エッジ３０ａ１への単独の打撃、又は、打面３０ａ及び打面エッジ３０ａ１への同時打撃による演奏が胴部２の周方向全周にわたって可能となると共に、打面エッジ３０ａ１とフープ８とを同時に打撃する演奏も可能となる。また、フープ８が胴部２の周方向全周（打面３０ａの外周側の全域）にわたって延設されるので、打面エッジ３０ａ１とフープ８との同時打撃を胴部２の全周にわたって行うことができる。よって、様々な方向（角度）から打面３０ａ、打面エッジ３０ａ１及びフープ８を打撃することができるので、打楽器１の奏法（打撃される各部材への打撃方法）のバリエーションを増加させることができる。
【００４５】
更に、それら打面３０ａ、打面エッジ３０ａ１及びフープ８への打撃は、第１センサＳ１、第２センサＳ２及び第３センサＳ３によってそれぞれ検出されるので、楽音の生成のバリエーションを増加させることができる。即ち、打面３０ａ、打面エッジ３０ａ１及びフープ８がそれぞれ単独で打撃された場合と、打面３０ａの中央側と打面エッジ３０ａ１とが同時に打撃された場合と、打面エッジ３０ａ１とフープ８とが同時に打撃された場合とでそれぞれ異なる楽音を生成する（音源によって楽音信号を生成する）ことにより、多種多様な演奏を行うことができる。
【００４６】
また、フープ８は、その下端側から連結部材７によって支持されるので、フープ８の上端側を周方向の全域にわたって（ボルトＢ３を除く部位を）露出させることができる。よって、胴部２の上側からフープ８の全域を直接打撃することができる。また、フープ８が一対の連結部材７によって支持されるので、例えば、フープ８が複数（例えば、３個以上）の連結部材７によって支持される場合に比べ、フープ８が露出される領域を増加させることができる。これにより、連結部材７がフープ８への打撃の障害となることを抑制でき、フープ８を様々な角度（例えば、軸Ｏ方向や径方向）から打撃することができる。よって、打楽器１の奏法のバリエーションが増加する。
【００４７】
このように、打楽器１の奏法のバリエーションが増加することにより、フープ８は、胴部２の上方からの打撃だけではなく、様々な角度から打撃されることが想定される。この場合に、例えば、フープの断面形状が多角形（例えば、四角形）であると、フープのエッジ（角）が打撃された場合と、面が打撃された場合とでフープとバチとの接触面積に相違が生じるので、演奏時の打撃感にばらつきが生じる恐れがある。
【００４８】
これに対して、本実施の形態の打楽器１によれば、フープ８が円環状に形成されると共に、その断面が円形（円筒状）に形成されることにより、バチによるフープ８への打撃の角度に変化が生じても、バチとフープ８との接触面積にばらつきが生じることを抑制できる。即ち、バチとフープ８とを常に点で接触させやすくすることができるので、演奏時の打撃感を均一化することができる。
【００４９】
ここで、打楽器１の奏法のバリエーションを増加させるために、フープ８を胴部２の周方向に沿って断続的に複数形成することも可能である。しかしながら、フープ８を複数形成すると、フープ８への打撃を１個の第３センサＳ３で検出することが困難となり、それら断続するフープ８ごとに第３センサＳ３を設けると、打楽器の製品コストが嵩む。
【００５０】
また、円環状の一部が分断されるフープ８の場合には、かかる分断箇所で振動伝達経路が遮断される。よって、打撃位置から第３センサＳ３への振動伝達経路がフープ８の周方向における一方の方向（又は他方の方向）のみになるので、フープ８への打撃による振動が第３センサＳ３で検出され難くなる。
【００５１】
これに対して、本実施の形態の打楽器１によれば、フープ８が胴部２の周方向全周にわたって（円環状に）延設されるので、フープ８の周方向全周にわたって振動伝達経路が形成される。よって、１個の第３センサＳ３でフープ８の振動を検出することができるので、打楽器１の製品コストを低減できる。更に、フープ８が胴部２の周方向全周にわたって形成されることにより、フープ８が打撃されると、その打撃位置Ｌ（図１参照）から第３センサＳ３への振動伝達経路は、フープ８の周方向における両方向（矢印Ｌ１，Ｌ２の方向）に形成される。よって、フープ８への打撃による振動が第３センサＳ３で検出されやすくなるので、フープ８への打撃に対する楽音の生成を精度良く行うことができる。
【００５２】
次いで、図３及び図４を参照して、第２実施の形態について説明する。第１実施の形態では、フープ８が連結部材７を介して胴部２の外周面に連結される場合を説明したが、第２実施の形態では、フープ２０８を保持する連結部材２０７がボルトＢ１によってリム４と共締めされる場合について説明する。なお、上述した第１実施の形態と同一の部分には同一の符号を付してその説明を省略する。
【００５３】
図３は、第２実施の形態における打楽器２０１の斜視図である。図４は、図３のＩＶ−ＩＶ線における打楽器２０１の断面図である。なお、図３では、図面を簡素化するために、打楽器２０１の一部が省略して図示される。
【００５４】
図３及び図４に示すように、打楽器２０１の連結部材２０７は、打面エッジ３０ａ１の上面を被覆するカバーとして形成されるカバー部２７３と、そのカバー部２７３の外縁に接続されると共にボルトＢ１によってリム４と共締めされる平板状の被固定部２７４と、その被固定部２７４に形成される貫通孔２７５と、被固定部２７４の径方向（図４の左右方向）外側に接続されると共にフープ２０８を保持するための円筒状の保持部２７６と、を備え、硬質な弾性材料（例えば、硬質ゴムや硬質エラストマ）から形成される。
【００５５】
カバー部２７３は、打面エッジ３０ａ１と、フレーム６の外縁側と、リム４の内周側（ボルトＢ１の頭部よりも内周側）の部位とを上方から被覆する円環状に形成される。このカバー部２７３によって打面エッジ３０ａ１が被覆されるので、打面エッジ３０ａ１が打撃されても、膜部材３０、フレーム６の外縁側および胴部２の上端が損傷することを抑制できる。
【００５６】
また、打面エッジ３０ａ１を被覆するためのカバー部２７３を連結部材２０７の一部として構成する（即ち、打面エッジ３０ａ１を被覆するための被覆部材と、連結部材２０７とを一体に形成する）ことにより、部品点数が低減すると共に、カバー部２７３（被覆部材）の取り付けの作業性が向上する。
【００５７】
被固定部２７４は、一対の平板状の第１被固定部２７４ａ及び第２被固定部２７４ｂが上下に重ね合わされ（図４（ｂ）参照）、第１被固定部２７４ａ及び第２被固定部２７４ｂのうちの一方（本実施の形態では、図４（ｂ）の下側）の第２被固定部２７４ｂのみがカバー部２７３の外縁に接続される。なお、他方（図４（ｂ）の上側）の第１被固定部２７４ａのみをカバー部２７３の外縁に接続させる構成でも良い。
【００５８】
被固定部２７４は、周方向等間隔に複数（本実施の形態では、８個）形成され、それら複数の被固定部２７４のうちの１の被固定部２７４（第２被固定部２７４ｂ）の下面に第３センサＳ３が接着される。貫通孔２７５は、第１被固定部２７４ａ及び第２被固定部２７４ｂの上下に貫通する貫通孔であり、リム４の貫通孔４０に対応した位置に形成される。
【００５９】
保持部２７６は、周方向に軸を向ける円筒状に形成され、その円筒の一部が分断される態様で（断面視においてＣ字状に）形成される。かかる保持部２７６の分断部分に第１被固定部２７４ａ及び第２被固定部２７４ｂの径方向外側の端部がそれぞれ接続される。よって、被固定部２７４がボルトＢ１によって固定されていない状態では、第１被固定部２７４ａ及び第２被固定部２７４ｂの対向間からフープ８を保持部２７６に挿入することができる。
【００６０】
保持部２７６の内径は、フープ２０８の外径（軸Ｏを含む平面で切断した断面における外径）と略同一に設定され、この保持部２７６の内周に保持されるフープ２０８は、中実に形成される（中空ではない点）以外は第１実施の形態のフープ８と同一の構成とされる。
【００６１】
被固定部２７４に形成される貫通孔２７５と、リム４の貫通孔４０とにボルトＢ１が挿入され、そのボルトＢ１が固定部５の被締結部５０のめねじに螺合されることで、固定部５において連結部材２０７がボルトＢ１によってリム４と共締めされる。これにより、胴部２にリム４を固定する機能と、胴部２にフープ２０８を固定するための機能とを固定部５に兼用させることができる。
【００６２】
また、複数（８個）の被固定部２７４がボルトＢ１によってリム４と共締めされるので、連結部材２０７を介してフープ２０８を胴部２に安定して固定することができる。更に、周方向においてフープ２０８が８箇所で保持部２７６によって保持される（フープ８と連結部材２０７とが部分的に接続される）ので、フープ８への打撃による振動を８箇所の保持部２７６（被固定部２７４）のみを介してリム４（胴部２側）に伝達させることができる。よって、例えば、フープ２０８が全周にわたって胴部２に接続される場合に比べ、フープ２０８から胴部２への振動伝達経路を減少させ、フープ２０８への打撃による振動がフレーム６に伝達することを抑制できる。
【００６３】
ここで、連結部材２０７がリム４に接続されることにより、フープ２０８への打撃による振動がリム４を介してフレーム６に伝達する恐れがある。これに対して、本実施の形態では、連結部材２０７がボルトＢ１によってリム４と共締めされるので、連結部材２０７に伝達される振動の一部がボルトＢ１を介して固定部５側に伝達される。よって、連結部材２０７がリム４のみに接続される場合に比べ、フープ２０８への打撃による振動がフレーム６側に伝達することを抑制できる。
【００６４】
また、連結部材２０７が弾性材料から形成されるので、フープ２０８から連結部材２０７に伝達される振動を連結部材２０７によって減衰させることができる。よって、フープ２０８への打撃による振動がフレーム６側に伝達することを抑制できる。
【００６５】
このように、フープ２０８からの振動がフレーム６側に伝達されることを抑制することで、かかる振動が第１センサＳ１及び第２センサＳ２によって誤検出されることを抑制できる。また、打面３０ａ及び打面エッジ３０ａ１からの振動がフープ２０８側に伝達することも抑制できるので、かかる振動が第３センサＳ３によって誤検出されることを抑制できる。よって、打面３０ａ、打面エッジ３０ａ１及びフープ２０８への打撃に対する楽音の生成を精度良く行うことができる。
【００６６】
また、連結部材２０７が弾性材料から形成されると共に、フープ２０８が金属材料から形成されることにより、連結部材２０７の剛性よりもフープ２０８の剛性が高く形成される。これにより、フープ２０８への打撃による振動は、フープ２０８から連結部材２０７に伝達されるよりも、フープ２０８の周方向に沿って（フープ２０８自体に）伝達されやすくなる。
【００６７】
更に、フープ２０８が金属材料から中実に形成されることにより、フープ２０８への打撃による振動がフープ２０８の周方向に沿ってより伝達されやすくなる。
【００６８】
このように、フープ２０８の周方向に沿って振動を伝達させやすく構成することにより、第３センサＳ３が配設される連結部材２０７から離れた位置（例えば、径方向で対向する位置）が打撃された場合であっても、かかる打撃による振動をフープ２０８によって第３センサＳ３が配設される位置まで伝達させやすくすることができる。よって、フープ２０８への打撃に対する楽音生成を精度良く行うことができる。
【００６９】
また、被固定部２７４が弾性材料から形成されると共に、その板厚方向を軸Ｏ方向に向ける平板状に形成されるので、フープ２０８が上方から打撃された場合に、被固定部２７４が湾曲しやすくなる。これにより、フープ２０８自体に伝達される振動だけではなく、フープ２０８が全体として揺動する振動を第３センサＳ３に検出させることができる。よって、フープ２０８への打撃に対する楽音生成を精度良く行うことができる。
【００７０】
次いで、図５及び図６を参照して、第３実施の形態について説明する。第１実施の形態では、打楽器１が単独で使用される場合について説明したが、第３実施の形態では、一対の打楽器３０１ａ，３０１ｂが連結棒１０１によって連結され、打面を軸Ｏ方向両面に有する打楽器ユニット１００として構成される場合について説明する。なお、上述した第１実施の形態と同一の部分には同一の符号を付してその説明を省略する。
【００７１】
図５は、第３実施の形態における打楽器ユニット１００の分解斜視図である。図６（ａ）は、打楽器ユニット１００の斜視図であり、図６（ｂ）は、連結棒１０１をスタンドにした状態を示す打楽器ユニット１００の斜視図である。
【００７２】
図５及び図６に示すように、打楽器ユニット１００は、ヘッド３が形成される側とは反対側の胴部２の背面どうしを対向させる姿勢で一対の打楽器３０１ａ，３０１ｂが連結される。一対の打楽器３０１ａ，３０１ｂは、連結棒１０１を挟持するための複数（本実施の形態では、３個）の挟持部材３１０をそれぞれ備えると共に、それぞれ同一の構成の打楽器として構成される。
【００７３】
挟持部材３１０は、連結棒１０１の外径に対応した形状の溝を有する挿通部３１１と、その挿通部３１１の溝に挿通される連結棒１０１を拘束するための拘束部３１２と、その拘束部３１２を操作するための操作部３１３とを備え、胴部２における連結部材７よりも下側（一対の打楽器３０１ａ，３０１ｂの対向方向内側）に配設される。
【００７４】
挿通部３１１及び拘束部３１２は、それぞれ胴部２の内周面に配設され、挿通部３１１に形成される溝は、軸Ｏ方向に沿って延設される。操作部３１３は、胴部２の外周面に配設されると共に拘束部３１２を操作するためのハンドルとして構成される。即ち、挟持部材３１０は、ハンドルとして構成される操作部３１３を一側（又は他側）に回転させることで、拘束部３１２によって連結棒１０１が拘束される（又はその拘束状態が解除される）ものであり、公知の構成が採用可能であるのでその詳細な説明を省略する。
【００７５】
連結棒１０１は、円筒状の棒として軸Ｏ方向に沿った直線状に形成されると共に一対の打楽器３０１ａ，３０１ｂのそれぞれの挿通部３１１に挿通される。挿通部３１１に連結棒１０１が挿通された状態で操作部３１３を操作することで連結棒１０１が挿通部３１１及び拘束部３１２によって挟持される。これにより、一対の打楽器３０１ａ，３０１ｂが３本の連結棒１０１を介して連結され、それら一対の打楽器３０１ａ，３０１ｂの対向方向外側の両面に一対のヘッド３（打面３０ａ）が配置される。よって、軸方向両側に打面を有する打楽器（例えば、両面の和太鼓）を打楽器ユニット１００によって模擬することができる（図６（ａ）参照）。
【００７６】
この場合、一対の打楽器３０１ａ，３０１ｂのそれぞれに第１センサＳ１、第２センサＳ２（図２参照）及び第３センサＳ３が配設されるので、打面３０ａ、打面エッジ３０ａ１及びフープ８がそれぞれ単独で打撃された場合と、打面３０ａの中央側と打面エッジ３０ａ１とが同時に打撃された場合と、打面エッジ３０ａ１とフープ８とが同時に打撃された場合とにおいて、打楽器３０１ａ及び打楽器３０１ｂでそれぞれ異なる楽音を生成することにより、１の打楽器３０１ａのみで演奏を行う場合に比べ、より多種多様な演奏を行うことができる。
【００７７】
また、リム４の上端が打面エッジ３０ａ１よりも下方（一対の打楽器３０１ａ及び打楽器３０１ｂの対向方向内側）に位置するので（図２参照）、バチによって打面３０ａを打撃する際に、打面３０ａの中央側と打面エッジ３０ａ１とを同時に打撃することができる。即ち、打面３０ａに沿ってバチを当てるように演奏することにより、打楽器ユニット１００によって太鼓を模擬した演奏を行うことができる。
【００７８】
また、軸Ｏ方向視において、リム４とフープ８との間には、リム４及びフープ８によって取り囲まれる空間Ｒが形成されるので、例えば、一対の打楽器３０１ａ，３０１ｂのフープ８どうしに紐を掛け渡して装飾を施すことができる。よって、より太鼓に近い外観（例えば、桶胴太鼓や締太鼓を模擬した外観）とすることができるので、打楽器ユニット１００の意匠性を向上させることができる。
【００７９】
また、そのフープ８どうしに掛け渡される紐、連結棒１０１、又は、フープ８に紐やストラップを接続することにより、打楽器ユニット１００を担いで演奏することができるので、より太鼓を模擬した演奏が可能となる。よって、打楽器３０１ａ，３０１ｂのフープ８に、太鼓を模擬させる（太鼓を模擬した演奏を可能とする）ための機能と、打楽器ユニット１００の意匠性を向上させる機能とを兼用させることができる。
【００８０】
ここで、一対の打楽器３０１ａ，３０１ｂが連結されることにより、一対の打楽器３０１ａ，３０１ｂのうちの一方の打楽器３０１ａへの打撃による振動が他方の打楽器３０１ｂに伝達する恐れがある。この場合、打楽器３０１ａ及び打楽器３０１ｂの胴部２どうしを直接接続すると、打楽器３０１ａから打楽器３０１ｂに振動が伝達されやすくなるので、打楽器３０１ａに対する打撃を打楽器３０１ｂの第１センサＳ１、第２センサＳ２又は第３センサＳ３が誤検出する恐れがある。
【００８１】
これに対して、本実施の形態の打楽器ユニット１００によれば、打楽器３０１ａ，３０１ｂどうしが棒状の連結棒１０１によって連結されるので、打楽器３０１ａへの打撃による振動を３本の連結棒１０１のみを介して伝達させることができる。即ち、打楽器３０１ａ，３０１ｂの胴部２どうしを直接接続する場合に比べ、打楽器３０１ａから打楽器３０１ｂへの振動伝達経路を減少させることができる。よって、一方の打楽器３０１ａ（打楽器３０１ｂ）から他方の打楽器３０１ｂ（３０１ａ）への振動の伝達を抑制できる。
【００８２】
また、連結棒１０１が棒状に形成されることにより、胴部２よりも連結棒１０１の剛性が低く形成されるので、連結棒１０１を伝達する振動を、連結棒１０１自体によって減衰させやすくすることができる。よって、打楽器３０１ａ，３０１ｂの胴部２どうしを直接接続する場合に比べ、打楽器３０１ａから打楽器３０１ｂに振動が伝達され難くなる。更に、連結棒１０１が円筒状（中空）に形成されることで、かかる振動の減衰の効果が高まるので、一方の打楽器３０１ａ（打楽器３０１ｂ）から他方の打楽器３０１ｂ（３０１ａ）への振動の伝達を抑制できる。
【００８３】
このように、打撃による打楽器３０１ａ（打楽器３０１ｂ）から打楽器３０１ｂ（打楽器３０１ａ）側への振動の伝達を抑制することで、打楽器３０１ａ（打楽器３０１ｂ）への打撃による振動が打楽器３０１ｂ（打楽器３０１ａ）の第１センサＳ１、第２センサＳ２又は第３センサＳ３に検出されることを抑制できる。よって、一対の打楽器３０１ａ，３０１ｂへの打撃に対する楽音の生成を精度良く行うことができる。
【００８４】
また、連結棒１０１が挟持部材３１０に着脱自在に構成されるので、一方の打楽器３０１ｂ（打楽器３０１ａ）を打楽器ユニット１００から取り外すことにより、連結棒１０１をスタンドとして利用して打楽器３０１ａ（打楽器３０１ｂ）を演奏することもできる（図６（ｂ）参照）。よって、一対の打楽器３０１ａ，３０１ｂを連結するための機能と、打楽器３０１ａ，３０１ｂのスタンドとしての機能とを連結棒１０１に兼用させることができる。
【００８５】
更に、一対の打楽器３０１ａ，３０１ｂから連結棒１０１を取り外すことにより、打楽器ユニット１００をコンパクトにして収納を容易にすることや、持ち運びを容易にすることができる。また、連結棒１０１を異なる長さのものに取り換えることにより、軸Ｏ方向において打楽器ユニット１００を様々なサイズに変更することができる。
【００８６】
次いで、図７から図９を参照して、第４実施の形態について説明する。第１実施の形態では、フープ８が連結部材７を介して胴部２の外周面に連結される場合を説明したが、第４実施の形態のフープ２０８は、連結部材４０７及び被連結板４１３を介してリム４に連結される。なお、上述した各実施の形態と同一の部分には同一の符号を付してその説明を省略する。
【００８７】
図７は、第４実施の形態における打楽器ユニット４００の斜視図である。図８（ａ）は、図７のＶＩＩＩａ−ＶＩＩＩａ線における打楽器４０１ａの部分拡大断面図であり、図８（ｂ）は、被連結板４１３の上面図である。なお、図７では、紐１０２の掛け渡し形態が模式的に図示されると共に、弾性シート４１４の外形線の図示が省略される（図９（ｂ）及び図９（ｃ）参照）。また、図８では、連結部材４０７が断面視せずに図示される。
【００８８】
図７に示すように、打楽器ユニット４００は、ヘッド３が形成される側とは反対側の胴部２の背面どうしを対向させる姿勢で一対の打楽器４０１ａ，４０１ｂが連結され、これら一対の打楽器４０１ａ，４０１ｂのフープ２０８どうしに紐１０２が掛け渡される。
【００８９】
なお、図７に示す紐１０２の掛け渡しの形態は、一例であり、他の形態を採用しても良い。他の形態としては、例えば、桶胴太鼓や締太鼓等の和太鼓で採用される公知の形態が例示される。上述した打楽器ユニット１００においても同様である。
【００９０】
打楽器４０１ａ，４０１ｂは、それぞれ同一の構成の打楽器として構成される。よって、以下の説明では、打楽器４０１ａについて説明し、打楽器４０１ｂの説明を省略する。
【００９１】
図７及び図８に示すように、第４実施の形態では、被連結板４１３がボルトＢ１によりリム４と共締めされ、その被連結板４１３とフープ２０８とが連結部材４０７により連結される。これにより、フープ２０８が胴部２と同心となる位置に保持される。また、これに伴い、後述する被覆部材４２７３も胴部２と同心となる位置においてヘッド３の上面に保持される。
【００９２】
なお、フープ２０８の外周は、弾性材料（ゴム材料や熱可塑性エラストマ）から形成される弾性シート４１４により被覆される。かかる弾性シート４１４の構成については、後述する。
【００９３】
被連結板４１３は、リム４の上面（図８（ａ）上側の面）にボルトＢ１により共締めされる基部４１３ａと、その基部４１３ａの一側（図８（ａ）右側）からフープ２０８側へ向けて延設される延設部４１３ｂとを備え、金属材料からなる板状体を屈曲して形成される。
【００９４】
基部４１３ａの厚み寸法は、ボルトＢ１の上端（図８の上側の端部）が、打面エッジ３０ａ１よりも下方（打面３０ａと反対側、即ち、一対の打楽器４０１ａ，４０１ｂの対向方向内側）に後退して位置する寸法に設定される。延設部４１３ｂは、基部４１３ａから離間するに従って下方（打面３０ａと反対側、即ち、一対の打楽器４０１ａ，４０１ｂの対向方向内側）へ向けて傾斜して形成される。
【００９５】
基部４１３ａには、ボルトＢ１を挿通するための上面視円形の貫通孔４１３ａ１が、延設部４１３ｂには、連結部材４０７のバンド部４０７ａを挿通するための上面視長穴形状の連結孔４１３ｂ１が、それぞれ貫通形成される。なお、連結孔４１３ｂ１は、連結部材４０７のロック部４０７ｂが通過不能な大きさに形成される。
【００９６】
連結部材４０７は、長尺帯状のバンド部４０７ａとそのバンド部４０７ａが抜き取り不能に挿通されるロック部４０７ｂとが柔軟性を有する樹脂材料から一体に形成された公知の結束バンドとして構成される。即ち、バンド部４０７ａには、その長手方向に沿って複数の係合部が連続して（即ち、断面鋸刃状に）形成され、ロック部４０７ｂには、バンド部４０７ａが挿通される挿通孔の内面に被係合部が形成される。被係合部は、バンド部４０７ａが挿通孔に挿通された場合に、挿通方向への移動に対しては係合部と係合せず、バンド部４０７ａの移動を許容する一方、挿通方向と反対方向（抜き取り方向）への移動に対しては係合部と係合して、バンド部４０７ａの移動を規制する。
【００９７】
よって、連結部材４０７のバンド部４０７ａをフープ２０８に架け渡し、バンド部４０７ａの長手方向一端（ロック部４０７ｂと反対側の端部）を、後述する被覆部材４２７３の連結孔４２７３ｂ２と被連結板４１３の連結孔４１３ｂ１とに順に挿通した後、ロック部４０７ｂの挿通孔に挿通し、フープ２０８と被連結板４１３（連結孔４１３ｂ１）との間でバンド部４０７ａを展張する。
【００９８】
その結果、バンド部４０７ａがロック部４０７ｂから抜き取り不能となり、フープ２０８と被連結板４１３とが連結部材４０７により連結される。このように、簡易な作業により連結できるので、打楽器４０１ａの組み立て作業性を向上できる。
【００９９】
また、フープ２０８が弾性材料から形成される連結部材４０７により保持されるので、上述した第２実施の形態の場合と同様に、フープ２０８から連結部材４０７に伝達される振動を連結部材４０７によって減衰させることができる。よって、フープ２０８への打撃による振動がフレーム６側に伝達することを抑制できる。
【０１００】
この場合、被連結板４１３の延設部４１３ｂが傾斜され、連結孔４１３ｂ１が打面３０ａと反対側に後退して位置されるので、その分、フープ２０８及び連結部材４０７の上面（図８の上側の面）を、打面エッジ３０ａ１よりも下方（打面３０ａと反対側、即ち、一対の打楽器４０１ａ，４０１ｂの対向方向内側）に位置させることができる。よって、打面３０ａの中央側と打面エッジ３０ａ１とを同時に打撃することができる。
【０１０１】
フープ２０８には、他方の打楽器４０１ｂのフープ２０８との間で、紐１０２が周方向の複数か所（本実施の形態では１０か所）で架け渡されており、かかる紐１０２の張力が、フープ２０８を打面３０ａと反対側（一対の打楽器４０１ａ，４０１ｂの対向方向内側）へ向けて付勢する力として作用される。これにより、フープ２０８ａの位置を安定させることができる。
【０１０２】
本実施の形態では、ロック部４０７ｂが被連結板４１３の下面側（一対の打楽器４０１ａ，４０１ｂの対向方向内側）に位置し、且つ、ロック部４０７ｂの挿通孔が被連結板４１３の連結孔４１３ｂ１に対向する姿勢で、連結部材４０７が配設される。
【０１０３】
これにより、バンド部４０７ａの長手方向一端側およびロック部４０７ｂが打撃の邪魔になることを抑制できる。また、バンド部４０７ａの長手方向一端側およびロック部４０７ｂを後述する被覆部材４２７３の張出部４２７３ｂにより被覆して外部から視認し難くできるので、外観の向上を図ることができる。更に、ロック部４０７ｂを被連結板４１３の下面に密着させ、バンド部４０７ａの取り回し方向を案内できるので、バンド部４０７ａの過度な屈曲による損傷や、被連結板４１３の連結孔４１３ｂ１の内縁との接触部分でのバンド部４０７ａの摩耗や破断を抑制できる。
【０１０４】
被覆部材４２７３は、打面エッジ３０ａ１の上面を被覆するカバーとして形成されるカバー部４２７３ａと、そのカバー部４２７３ａの外縁から径方向外方へ張り出され被連結板４１３に連結部材４０７によって連結される張出部４２７３ｂとを備え、これらが硬質な弾性材料（例えば、硬質ゴムや硬質エラストマ）から一体に形成される。
【０１０５】
カバー部４２７３ａは、打面エッジ３０ａ１とフレーム６の外縁側とを上方から被覆する上面視円環状に形成される。このカバー部４２７３ａによって打面エッジ３０ａ１が被覆されるので、打面エッジ３０ａ１が打撃されても、膜部材３０、フレーム６の外縁側および胴部２の上端が損傷することを抑制できる。
【０１０６】
張出部４２７３ｂは、周方向等間隔となる複数箇所（本実施の形態では８箇所）に形成され、上面視においてリム４の貫通孔４０と重なる位置に配設可能とされる。各張出部４２７３ｂのそれぞれには、上面視円形の開口４２７３ｂ１と、上面視長穴形状の連結孔４２７３ｂ２とが厚み方向に貫通形成される。
【０１０７】
開口４２７３ｂ１は、ボルトＢ１に対応する位置に開口され、内径がボルトＢ１の頭部よりも大きな寸法に設定される。よって、被覆部材４２７３を取り外さなくても、開口４２７３ｂ１を介して挿通した工具をボルトＢ１の頭部に係合させて、ボルトＢ１の締結力（ヘッド３の張力）を調整できる。
【０１０８】
連結孔４２７３ｂ２は、被連結板４１３の連結孔４１３ｂ１に対応する位置に、その連結孔４１３ｂ１と同一の大きさの開口として形成される。連結孔４２７３ｂ２には、連結部材４０７のバンド部４０７ａが挿通され、これにより、被覆部材４２７３が被連結板４１３に連結される。その結果、打面エッジ３０ａ１の上面を被覆する位置にカバー部４２７３ａが保持される。
【０１０９】
このように、フープ２０８と被連結板４１３とを連結する連結部材４０７を利用して、被覆部材４２７３を保持できるので、かかる被覆部材４２７３を保持するための手段を別途設けることを不要とできる。即ち、フープ２０８を被連結板４１３（胴部２）に固定する機能と、被覆部材４２７３を所定位置に保持する機能とを連結部材４０７に兼用させることができる。よって、その分、製品コストを削減できる。
【０１１０】
なお、張出部４２７３ｂをボルトＢ１によってリム４と共締めすることで、被覆部材４２７３を保持する構造も考えられるが、この場合には、樹脂材料からなる被覆部材４２７３が潰れて、ボルトＢ１の軸力を確保できない虞がある。これに対し、本実施の形態によれば、金属材料からなる被連結板４１３のみをリム４と共締めすれば良いので、ボルトＢ１の軸力を確保できる。
【０１１１】
また、連結部材４０７のバンド部４０７ａと被連結板４１３との間に張出部４２７３ｂが介在されるので、バンド部４０７ａの過度な屈曲による損傷や、被連結板４１３の連結孔４１３ｂ１の内縁との接触部分でのバンド部４０７ａの摩耗や破断を抑制できる。
【０１１２】
図９（ａ）は、図７のＩＸａ−ＩＸａ線における打楽器４０１ａの部分拡大断面図であり、図９（ｂ）は、図９（ａ）の矢印ＩＸｂ方向視における打楽器４０１ａの側面図であり、図９（ｃ）は、図９（ｂ）の矢印ＩＸｃ方向視における打楽器４０１ａの上面図である。
【０１１３】
図９に示すように、フープ２０８には、取付金具４２０がボルトＢ４により共締めされており、この取付金具４２０に第３センサＳ３が両面テープにより接着される。なお、第３センサＳ３の配設個数は、１個とされる。また、ボルトＢ４は、金属材料から形成される。
【０１１４】
取付金具４２０は、フープ２０８とボルトＢ４により共締めされる基部４２０ａと、その基部４２０ａの一側（図９（ａ）下側）から胴部２へ向けて延設される延設部４２０ｂとを備え、金属材料からなる板状体を屈曲して形成される。
【０１１５】
基部４２０ａは、正面視横長の矩形状に形成され、その長手方向（図９（ｃ）左右方向）の２か所にボルトＢ４を挿通するための貫通孔（図示せず）が貫通形成される。延設部４２０ｂは、第３センサＳ３が接着される部位であり、基部４２０ａと反対側の外縁が第３センサＳ３と同心の円弧状に湾曲して形成される。
【０１１６】
フープ２０８には、胴部２と対向する側（図９（ａ）右側）の面の２か所にねじ穴（内周面にめねじが刻設された穴、図示せず）が形成され、これら各ねじ穴にボルトＢ４が締結されることで、取付金具４２０がフープ２０８と共締めされる。
【０１１７】
なお、取付金具４２０は、延設部４２０ｂ（第３センサＳ３の接着面）が胴部２の軸Ｏ（図７参照）と直交する（打面３０ａと平行となる）姿勢で配設される。また、フープ２０８と取付金具４２０（基部４２０ａ）との間には、弾性シート４１４が挟み込まれる。
【０１１８】
このように、フープ２０８にねじ穴が形成され、そのねじ穴に締結されたボルトＢ４により取付金具４２０がフープ２０８と共締めされるので、フープ２０８と取付金具４２０との間に弾性シート４１４が挟み込まれている場合でも、フープ２０８から第３センサＳ３までの振動伝達経路を金属材料（フープ２０８、ボルトＢ４及び取付金具４２０）で形成できる。これにより、フープ２０８の打撃による振動のうちの高周波成分を検出しやすくできる。
【０１１９】
フープ２０８の外周には、上述したように、弾性シート４１４が被覆される。これにより、弾性シート４１４が緩衝材となることで、フープ２０８が打撃された際のフープ２０８自体から生じる打音を低減させることができる。また、弾性シート４１４によりフープ２０８自体の振動を減衰させやすくできるので、フープ２０８が連続的に打撃された際の１打撃ずつの振動を第３センサＳ３により検出させやすくできる。その結果、フープ２０８への打撃に対する楽音の生成を精度良く行うことができる。
【０１２０】
なお、フープ２０８には、上述したように、周方向の複数か所に連結部材４０７が連結されると共に紐１０２が架け渡されるところ、これら連結部材４０７や紐１０２が連結または掛け渡されることも、フープ２０８自体の振動を減衰させる効果に寄与する。
【０１２１】
ここで、弾性シート４１４は、長尺帯状に形成され、フープ２０８の外周に螺旋状に巻き付けられることで、フープ２０８の外周を被覆する。即ち、弾性シート４１４を弾性的に伸張させながらフープ２０８の外周に巻き付けることができるので、弾性シート４１４をフープ２０８の外周に密着させることができる。また、巻き付けられた弾性シート４１４は、自身の弾性回復力によりフープ２０８との密着状態を維持できる。よって、弾性シート４１４による緩衝材としての機能（打音の低減や振動の減衰）を確実に発揮させることができる。
【０１２２】
弾性シート４１４の始端および終端は、フープ２０８と取付金具４２０（基部４２０ａ）との間に挟み込まれる。これにより、弾性シート４１４の始端および終端を視認し難くして、外観の向上を図ることができるだけでなく、接着材や両面テープの接着力に頼ることなく、弾性シート４１４の始端および終端を確実に固定できる。
【０１２３】
なお、本実施の形態では、弾性シート４１４の始端および終端に貫通孔が貫通形成され、その貫通孔にボルトＢ４が挿通された状態で、フープ２０８と取付金具４２０（基部４２０ａ）との間に挟み込まれる。これにより、弾性シート４１４の始端および終端がフープ２０８と取付金具４２０（基部４２０ａ）との間から抜け出ることをより確実に抑制できる。
【０１２４】
以上、上記実施の形態に基づき本発明を説明したが、本発明は上記形態に何ら限定されるものではなく、本発明の趣旨を逸脱しない範囲内で種々の変形改良が可能であることは容易に推察できるものである。
【０１２５】
上記各実施の形態では、リム４の上端が打面エッジ３０ａ１よりも下方に位置する場合を説明したが、必ずしもこれに限られるものではない。例えば、リム４の上端が打面エッジ３０ａ１よりも上方に位置する構成（打楽器１がアコースティックドラムを模擬する構成）でも良い。この場合には、フープ８，２０８の上端を、リム４の上端と同じ高さか、若しくは、リム４の上端よりも下方に位置させれば良い。
【０１２６】
即ち、上記各実施の形態では、打面３０ａの外縁部分が請求項１の「打面エッジ」として構成される場合を説明したが、リム４の上端が打面エッジ３０ａ１よりも上方に位置する構成の場合には、かかるリム４が請求項１の「打面エッジ」に相当する。よって、リム４が「打面エッジ」に相当する場合には、フープ８，２０８の上端が、リム４の上端と同じ高さか、若しくは、リム４の上端よりも下方に位置する構成とすることにより、「打面エッジ（リム４）」への打撃に対してフープ８，２０８が干渉することを抑制できる。
【０１２７】
上記各実施の形態では、打楽器の一例として円筒状の胴部２にヘッド３がリム４によって展張される構成を例示したが、必ずしもこれに限られるものではない。少なくとも打面を有するヘッドを備える打楽器であれば、上記各実施の形態の技術思想を適用することができる。よって、例えば、上面視における胴部（ヘッドの打面）の形状が多角形状のものや、直線および曲線を組み合わせたものから構成されても良いし、その胴部に弾性材料（例えば、ゴム材料）から成るヘッドが固定される（ヘッドがリムに展張されない）構成でも良い。
【０１２８】
上記各実施の形態では、フープ８，２０８が金属材料から構成される場合を説明したが、必ずしもこれに限られるものではなく、例えば、フープ８，２０８を硬質の弾性材料（例えば、硬質ゴムや硬質エラストマ）から構成しても良い。また、上記第１から第３実施の形態において、フープ８，２０８の外周に弾性材料から形成される緩衝材（例えば、ゴム材料）を被覆する構成としても良い。これにより、フープ８，２０８への打撃によってフープ８，２０８自体から生じる打音を低減させることができる。緩衝材としては、第４実施の形態における弾性シート４１４が例示される。
【０１２９】
また、緩衝材をフープ８，２０８の外周に被覆する場合、第４実施の形態における取付金具４２０を採用することが好ましい。但し、第３センサＳ３をフープ８，２０８へ直接接着しても良い。この場合には、例えば、フープ８，２０８の一部を露出させ（緩衝材を一部非形成とし）、その露出部分に第３センサＳ３を接着する構成や、フープ８，２０８の外周面と緩衝材との間に第３センサＳ３を配設する構成とすれば良い。これによっても、フープ８，２０８への打撃によって生じる打音を低減させつつ、フープ８，２０８への打撃による振動を第３センサＳ３によって精度良く検出することができる。
【０１３０】
上記各実施の形態では、フープ８，２０８への打撃による振動（第３センサＳ３による検出結果）に基づいて楽音が生成される場合を説明したが、必ずしもこれに限られるものではない。例えば、フープ８，２０８が打撃されたことを第３センサＳ３が検出することでソングの再生および停止を行うコントローラとして使用しても良い。また、第３センサＳ３を省略してフープ８，２０８が打撃されることで打音が発生する打楽器（アコースティックの打楽器）として使用してもよい。
【０１３１】
この場合においても、フープ８，２０８が周方向に沿った円環状に形成されると共に、その断面が円形に形成されることが好ましい。これにより、例えば、バチによるフープ８，２０８への打撃の角度に変化が生じても、バチとフープ８，２０８との接触面積にばらつきが生じることを抑制できる。よって、フープ８，２０８への打撃感を均一化できると共に、打撃によってフープ８，２０８自体から生じる打音を均一化することができる（例えば、フープ８，２０８の断面が四角形であると、バチがフープ８，２０８の角に当接した場合と、面に当接した場合とで打音に変化が生じる）。
【０１３２】
上記各実施の形態では、第３センサＳ３の配設個数が１個である場合を説明したが、必ずしもこれに限られるものではなく、第３センサＳ３の配設個数を複数（２個以上）としても良い。これにより、フープ８，２０８への打撃位置によらず、その打撃による振動の検出感度を均一化できる。この場合、複数の第３センサＳ３は、フープ８，２０８の周方向等間隔に分散して配置されることが好ましい。
【０１３３】
上記第１実施の形態および第３実施の形態では、フープ８の貫通孔に上方からボルトＢ３が挿入され、そのボルトＢ３が立設部７２ａ，７２ｂのめねじに螺合されることにより、フープ８が立設部７２ａ，７２ｂに固定される場合を説明したが、必ずしもこれに限られるものではない。例えば、フープ８の下端から上方に向けて凹設されるめねじを形成し、立設部７２ａ，７２ｂの下方から挿通されるボルトＢ３をフープ８のめねじに螺合させる構成でも良い。これにより、フープ８の上端側を全周にわたって露出させることができる（フープ８への打撃時にボルトＢ３が干渉することを抑制できる）。
【０１３４】
上記第１実施の形態および第３実施の形態では、第３センサＳ３が連結部材７（接続部７１）とフープ８との間に配設され、フープ８の下端のみに両面テープによって接着される（連結部材７と第３センサＳ３とが非接触とされる）場合を説明したが、必ずしもこれに限られるものではない。例えば、第３センサＳ３を連結部材７（接続部７１）の下面に接着する構成、第３センサＳ３を連結部材７（例えば、接続部７１の上面）のみに接着する構成、又は、第３センサＳ３を連結部材７（接続部７１）及びフープ８の双方に接着する構成でも良い。
【０１３５】
この場合には、第３センサＳ３を連結部材７（接続部７１）及びフープ８の双方に接着することが好ましい。これにより、フープ８が打撃された場合に、フープ８から直接伝達される振動と、フープ８から連結部材７に伝達される振動との双方を第３センサＳ３によって検出させることができるので、フープ８への打撃による振動を第３センサＳ３によってより確実に検出させることができる。
【０１３６】
上記第１実施の形態および第３実施の形態では、一対の立設部７２ａ，７２ｂが金属材料から形成され（連結部材７の一部として構成され）、立設部７２ａ，７２ｂにフープ８が直接固定される場合を説明したが、必ずしもこれに限られるものではない。例えば、一対の立設部７２ａ，７２ｂのうちの接続部７１の上面側に形成される立設部７２ａ，７２ｂを、連結部材７とは別体に構成し、弾性部材（ゴム状弾性体）から形成しても良い。
【０１３７】
また、立設部７２ａ，７２ｂとフープ８との間に弾性部材（ゴム状弾性体）を介設させる構成でも良く、連結部材７（突設部７０）と胴部２との間に弾性部材（ゴム状弾性体）を介設させる構成でも良い。
【０１３８】
このように、フープ８から胴部２への振動伝達経路を分断する態様で弾性部材を配設することにより、フープ８（打面３０ａ又は打面エッジ３０ａ１）への打撃による振動が胴部２（フープ８）側に伝達されることを抑制できる。よって、フープ８（打面３０ａ又は打面エッジ３０ａ１）への打撃による振動が第１センサＳ１及び第２センサＳ２（第３センサＳ３）に誤検出されることを抑制できる。
【０１３９】
上記第２実施の形態では、カバー部２７３を連結部材２０７の一部として構成する（即ち、打面エッジ３０ａ１を被覆するための被覆部材と、連結部材２０７とを一体に形成する）場合を説明したが、必ずしもこれに限られるものではない。例えば、打面エッジ３０ａ１を被覆するための被覆部材（カバー部２７３）を連結部材２０７と別体に構成しても良い。この場合には、リム４の貫通孔４０に対応する位置に形成される貫通孔を被覆部材に設け、被覆部材をリム４（連結部材２０７）と共締めすれば良い。
【０１４０】
また、被覆部材（カバー部２７３）を連結部材２０７と別体に構成し、被覆部材および連結部材２０７をそれぞれ異なる材料（例えば、硬質の弾性材料や金属材料）から形成しても良い。この場合、例えば、被覆部材を硬質の弾性材料から形成し、連結部材２０７を金属材料から形成する場合には、弾性部材（ゴム状弾性体）を介してフープ２０８を保持部２７６に保持させる（保持部２７６の内周面またはフープ２０８の外周面に弾性部材を被覆させる）構成でも良い。
【０１４１】
上記第２実施の形態では、連結部材２０７（被固定部２７４の第２被固定部２７４ｂ）の下面に第３センサＳ３が接着される場合を説明したが、必ずしもこれに限られるものではない。例えば、第３センサＳ３をフープ２０８の下面に直接接着する構成でも良い。この場合にも、連結部材２０７よりもフープ２０８の剛性を高く設定することが好ましい。これにより、フープ２０８への打撃による振動がフープ２０８自体に伝達されやすくなると共に、そのフープ２０８に伝達される振動が第３センサＳ３によって検出されやすくなる。よって、フープ２０８への打撃に対する楽音生成を精度良く行うことができる。
【０１４２】
上記第２実施の形態では、第１被固定部２７４ａ及び第２被固定部２７４ｂが別体に形成され、それら第１被固定部２７４ａ及び第２被固定部２７４ｂに断面Ｃ字状の保持部２７６が接続される場合を説明したが、必ずしもこれに限られるものではない。例えば、第１被固定部２７４ａ及び第２被固定部２７４ｂを一体（１枚の板状体）に形成し、その径方向外側の端部に円筒状の保持部２７６（断面Ｃ字状に分断されないもの）を接続する構成でも良い。
【０１４３】
この場合には、周方向における保持部２７６の寸法の分だけフープ２０８の一部を切り欠き、各連結部材２０７の保持部２７６にフープ２０８を挿通させれば良い。また、連結部材２０７を射出形成する金型にフープ２０８を配置し、それら連結部材２０７及びフープ２０８を一体に成形することにより、保持部２７６にフープ２０８を保持させても良い。
【０１４４】
上記第３実施の形態および第４実施の形態では、同一の構成の打楽器３０１ａ，４０１ａ及び打楽器３０１ｂ，４０１ｂが連結されることで打楽器ユニット１００，４００が構成される場合を説明したが、必ずしもこれに限られるものではない。例えば、異なる構成を有する打楽器どうし（例えば、第１実施の形態の打楽器１及び第２実施の形態の打楽器２０１、或いは、第１実施の形態の打楽器１及び第４実施の形態の打楽器４０１ａ）を連結して打楽器ユニット１００，４００を構成しても良い。
【０１４５】
また、同一の構成の打楽器を連結する場合に、一方の打楽器を他方の打楽器と異なる口径としても良い。
【０１４６】
上記第３実施の形態および第４実施の形態では、連結棒１０１が打楽器３０１ａ，３０１ｂ，４０１ａ，４０１ｂの挟持部材３１０に直接接続される場合を説明したが、必ずしもこれに限られるものではない。例えば、連結棒１０１と挟持部材３１０（挿通部３１１及び拘束部３１２）との間に緩衝材を設ける構成でも良い。即ち、弾性材料から形成される緩衝材を一対の打楽器３０１ａ，３０１ｂ，４０１ａ，４０１ｂと連結棒１０１との間（連結位置）に介設することにより、一対の打楽器３０１ａ，３０１ｂ，４０１ａ，４０１ｂへの打撃による振動を緩衝材によって減衰させることができる。よって、一方の打楽器３０１ａ，４０１ａ（３０１ｂ，４０１ｂ）への打撃による振動が他方の打楽器３０１ｂ，４０１ｂ（３０１ａ，４０１ａ）の第１センサＳ１、第２センサＳ２又は第３センサＳ３によって検出されることを抑制できる。
【０１４７】
上記第３実施の形態および第４実施の形態では、連結棒１０１が棒状に形成される場合を説明したが、必ずしもこれに限られるものではなく、例えば、連結棒１０１の外周の周方向に沿って形成される位置決め部（例えば、拘束部３１２が係合可能な凹溝）を設ける構成でも良い。
【０１４８】
この場合には、複数（例えば、３個）の連結棒１０１の両端に、挟持部材３１０の拘束部３１２に対応した形状の位置決め部を一対に設け、それら一対の位置決め部のうち、連結棒１０１の一端側（他端側）に形成される位置決め部から連結棒１０１の他端（一端）までの長さを、複数の連結棒１０１においてそれぞれ同一に設定することが好ましい。これにより、打楽器ユニット１００の一方の打楽器３０１ａ（打楽器３０１ｂ）を取り外して連結棒１０１をスタンドとして利用する際に、連結棒１０１の長さの調整を不要とすることができる。
【０１４９】
また、連結棒１０１に伸縮機能を持たせる（例えば、テレスコピック構造を有する棒状に形成する）構成でも良い。これにより、軸Ｏ方向における打楽器ユニット１００のサイズを可変にできる。
【０１５０】
上記第３実施の形態および第４実施の形態では、連結棒１０１が円筒状に形成される場合を説明したが、必ずしもこれに限られるものではない。例えば、連結棒１０１を円柱、角柱または角筒状に形成しても良く、断面くの字状やコの字状の板金で形成しても良い。
【０１５１】
上記第３実施の形態および第４実施の形態では、連結棒１０１が直線状に形成される場合を説明したが、必ずしもこれに限られるものではなく、例えば、連結棒１０１の一部が屈曲（湾曲）するものや、一部が軸Ｏ方向に対して傾斜する構成でも良い。また、一部が屈曲する（軸Ｏ方向に対して傾斜する）複数の連結棒１０１どうしが捻じれる（絡み合う）態様で配設される構成でも良い。これにより、打楽器ユニット１００の意匠性が向上する。
【０１５２】
上記第３実施の形態および第４実施の形態では、挿通部３１１に形成される溝が軸Ｏ方向に沿って延設される場合を説明したが、必ずしもこれに限られるものではない。例えば、挿通部３１１に形成される溝を軸Ｏ方向から傾斜する姿勢で形成し、かかる溝に直線状の連結棒１０１を挿入することにより、軸Ｏ方向に対して傾斜する連結棒１０１によって一対の打楽器３０１ａ，３０１ｂどうしを連結する構成でも良い。これにより、打楽器ユニット１００の意匠性を向上させることができる。
【０１５３】
上記第３実施の形態では、フープ８が連結部材７を介して胴部２に連結される場合を説明したが、必ずしもこれに限られるものではなく、例えば、フープ８が連結棒１０１に連結される構成でも良い。
【０１５４】
上記第４実施の形態において、第３センサＳ３の配設個数を２個としても良い。この場合、第１の第３センサＳ３を接着する取付金具４２０は、上記第４実施の形態の場合と同様に、延設部４２０ｂ（第３センサＳ３の接着面）が胴部２の軸Ｏに直交する姿勢とし、第２の第３センサＳ３を接着する取付金具４２０は、延設部４２０ｂ（第３センサＳ３の接着面）が胴部２の軸Ｏと平行となる姿勢とすることが好ましい。これら第１の第３センサＳ３及び第２の第３センサＳ３の検出結果を合成して出力することで、フープ２０８への打撃角度によらず、打撃による振動の検出感度を均一化できるからである。
【０１５５】
上記第４実施の形態では、第３センサＳ３が打面３０ａ側となる向きで取付金具４２０をフープ２０８に配設したが、必ずしもこれに限られるものではなく、逆向き（第３センサＳ３が一対の打楽器４０１ａ，４０１ｂの対向方向内側となる向き）で取付金具４２０をフープ２０８に配設しても良い。或いは、第４実施の形態において、第３センサＳ３を延設部４２０ｂの反対側（図９（ａ）下側）の面に接着しても良い。いずれにおいても、第３センサＳ３が誤って直接打撃されることを抑制できる。
【０１５６】
上記第４実施の形態では、連結部材４０７の配設個数がボルトＢ１（固定部５）の配設個数と同数とされる場合を説明したが、必ずしもこれに限られるものではなく、連結部材４０７の配設個数をボルトＢ１（固定部５）の配設個数よりも少ない数としても良い。即ち、複数のボルトＢ１のうちの一部のボルトＢ１のみにより被連結板４１３をリム４と共締めする構成としても良い。
【０１５７】
上記第４実施の形態では、打楽器４０１ａ，４０１ｂが連結棒１０１により連結されて打楽器ユニット４００として構成される場合を説明したが、必ずしもこれに限られるものではなく、打楽器４０１ａ，４０１ｂを連結棒１０１により連結せず、それぞれを単体で打楽器として構成しても良い。
【０１５８】
上記第４実施の形態では、連結部材４０７が連結される部位（被連結板４１３）をリム４と別体に形成する場合を説明したが、必ずしもこれに限られるものではなく、連結部材４０７が連結される部位をリム４と一体に形成しても良い。即ち、リム４のフープ２０８側の外面からフープ２０８へ向けて張り出す部位をリム４と一体に形成し、かかる部位に連結孔４１３ｂ１を貫通形成しても良い。これにより、部品点数および組み立て工数を削減して、部品コスト及び製造コストを削減できる。
【０１５９】
上記第４実施の形態では、被連結板４１３が屈曲して形成される場合を説明したが、必ずしもこれに限られるものではなく、被連結板４１３を屈曲させずに平板状に（即ち、基部４１３ａと延設部４１３ｂとが平行となる形状に）形成しても良い。この場合には、一対の打楽器４０１ａ，４０１ｂのフープ２０８どうしに架け渡した紐１０２の張力により、フープ２０８及び連結部材４０７の上面（一対の打楽器４０１ａ，４０１ｂの対向方向外側の面）を、打面エッジ３０ａ１よりも下方（一対の打楽器４０１ａ，４０１ｂの対向方向内側）に位置させることが好ましい。なお、フープ２０８及び連結部材４０７の上面の位置は、連結部材４０７の周長（即ち、ロック部４０７ｂによるバンド部４０７ａの係合位置）を変更することにより調整できる。
【０１６０】
上記第４実施の形態では、連結部材４０７のロック部４０７ｂが被連結板４１３の下面側（一対の打楽器４０１ａ，４０１ｂの対向方向内側）に位置する場合を説明したが、必ずしもこれに限られるものではなく、無端状の連結部材４０７上における任意の位置を選択できる。例えば、被連結板４１３と被覆部材４２７３（張出部４２７３ｂ）との間にロック部４０７ｂを位置させても良い。
【０１６１】
上記第４実施の形態では、被連結板４１３の連結孔４１３ｂ１が閉じた孔として形成される場合を説明したが、必ずしもこれに限られるものではなく、切り欠きにより一部が開放された孔として連結孔４１３ｂ１を形成しても良い。これにより、無端状の連結部材４０７を切り欠きから連結孔４１３ｂ１に挿入できる。
【符号の説明】
【０１６２】
１，２０１，３０１ａ，３０１ｂ，４０１ａ，４０１ｂ  打楽器
２                                                  胴部
３                                                  ヘッド
３０ａ                                              打面
３０ａ１                                            打面エッジ
４                                                  リム
５                                                  固定部
６                                                  フレーム
７，２０７，４０７                                  連結部材
８，２０８                                          フープ（被打撃部材）
１００，４００                                      打楽器ユニット
１０１                                              連結棒
Ｂ１                                                ボルト
Ｒ                                                  空間
Ｓ１                                                第１センサ
Ｓ２                                                第２センサ
Ｓ３                                                第３センサ
【図１】
2018151611.tif 000003
【図２】
2018151611.tif 000004
【図３】
2018151611.tif 000005
【図４】
2018151611.tif 000006
【図５】
2018151611.tif 000007
【図６】
2018151611.tif 000008
【図７】
2018151611.tif 000009
【図８】
2018151611.tif 000010
【図９】
2018151611.tif 000011